(57)【要約】【課題】撮影前に、ユーザーが発光装置の能力に合わせて適切な発光量および発光タイミングを選択することができるようにする。【解決手段】ストロボ１０１は被写体を撮像する際に発光部１０２を発光させて被写体を照明する。制御部１０５は温度検出部１０３によって発光部の温度を検出し、発光部の温度、発光部における発光１回当りの温度上昇を示す温度上昇推定値、発光部における温度上昇の上限値を示す発光部温度上限値、およびカメラ１１０による撮像の際の設定条件に基づいて、発光部による連続発光可能な撮影条件を算出して、連続発光可能な撮影条件を表示部１０４に表示する。【選択図】図１
2017134218.tif 000002
【特許請求の範囲】
【請求項１】
被写体を撮像する撮像装置に接続され、前記被写体を撮像する際に発光部を発光させて前記被写体を照明する発光装置であって、
前記発光部の温度を検出する温度検出手段と、
前記温度検出手段で検出された前記発光部の温度、前記発光部における温度上昇を示す温度上昇推定値、前記発光部における温度上昇の上限値を示す発光部温度上限値、および前記撮像装置による撮像の際の設定条件に基づいて、前記発光部による連続発光可能な撮影条件を算出する制御手段と、
を有することを特徴とする発光装置。
【請求項２】
前記制御手段は表示部に前記連続発光可能な撮影条件を表示することを特徴とする請求項１に記載の発光装置。
【請求項３】
前記撮像の際の設定条件は前記撮像装置から前記制御手段に送られることを特徴とする請求項１又は２に記載の発光装置。
【請求項４】
前記撮像の際の設定条件として秒間コマ数の設定値が用いられ、
前記制御手段は前記連続発光可能な撮影条件として連続発光可能な撮影枚数を求めることを特徴とする請求項１乃至３のいずれか１項に記載の発光装置。
【請求項５】
前記制御手段は、所定の時間連続発光した際の前記発光部の温度上昇を連続発光温度上昇推定値として、当該連続発光温度上昇推定値、および前記温度検出手段で検出された前記発光部の温度に基づいて、前記発光部が連続発光可能な時間を前記連続発光可能な撮影条件として求めることを特徴とする請求項１乃至４のいずれか１項に記載の発光装置。
【請求項６】
前記温度上昇推定値は、連続点灯時における単位時間当たりの前記発光部の温度上昇を示す値であり、
前記制御手段は、前記温度上昇推定値、および前記温度検出手段で検出された前記発光部の温度に基づいて、前記発光部が連続点灯可能な時間を前記連続点灯可能な撮影条件として求めることを特徴とする請求項１乃至４のいずれか１項に記載の発光装置。
【請求項７】
前記制御手段は前記連続発光可能な撮影条件又は前記連続点灯可能な撮影条件を前記撮像装置に送り、前記撮像装置において表示部に前記連続発光可能な撮影条件または前記連続点灯可能な撮影条件を表示することを特徴とする請求項１に記載の発光装置。
【請求項８】
前記撮像装置は前記制御手段から送られた前記連続発光可能な撮影条件又は前記連続点灯可能な撮影条件に基づいて前記被写体を撮影する際の撮影条件を設定可能にすることを特徴とする請求項７に記載の発光装置。
【請求項９】
前記撮像装置は、ユーザーによって設定された撮影条件が前記連続発光可能な撮影条件又は前記連続点灯可能な撮影条件から外れた場合にユーザーに報知を行うことを特徴とする請求項８に記載の発光装置。
【請求項１０】
前記発光装置は前記撮像装置に内蔵されており、前記制御手段は前記撮像装置に備えられていることを特徴とする請求項１乃至９のいずれか１項に記載の発光装置。
【請求項１１】
前記発光装置に備えられた専用スイッチが操作されると、前記制御手段は前記連続発光可能な撮影条件又は前記連続点灯可能な撮影条件の算出を開始することを特徴とする請求項１乃至１０のいずれか１項に記載の発光装置。
【請求項１２】
被写体を撮像する撮像装置に接続され、前記被写体を撮像する際に発光部を発光させて前記被写体を照明する発光装置の制御方法であって、
温度センサによって前記発光部の温度を検出する温度検出ステップと、
前記温度検出ステップで得られた前記発光部の温度、前記発光部における温度上昇を示す温度上昇推定値、前記発光部における温度上昇の上限値を示す発光部温度上限値、および前記撮像装置による撮像の際の設定条件に基づいて、前記発光部による連続発光可能な撮影条件を算出する制御ステップと、
を有することを特徴とする制御方法。
【発明の詳細な説明】
【技術分野】
【０００１】
本発明は、発光装置およびその制御方法に関し、特に、撮像装置とともに用いられる発光装置に関する。
【背景技術】
【０００２】
近年、デジタル一眼カメラなどの撮像装置では、撮像エンジンの高機能化によって連写撮影における秒間コマ数が増加している。一方、ＬＥＤを用いた発光装置のように、動画撮影に適した連続照射が可能な発光装置もある。
【０００３】
ところで、ＬＥＤを用いた発光装置においては、連写撮影の際に連続発光を行うと、ＬＥＤが発熱して発光輝度が低下するばかりでなく、ＬＥＤが破損することがある。このような閃光に起因する発熱に対処するため、例えば、発光禁止又は発光制限を行う前に、ユーザーに対して所定の警告を行うようにした発光装置がある（特許文献１参照）。
【先行技術文献】
【特許文献】
【０００４】
【特許文献１】特開２００９−３００５２３号公報
【発明の概要】
【発明が解決しようとする課題】
【０００５】
上述の特許文献１においては、連写撮影の際に、ＬＥＤなどの発光部の温度上昇を検出して警告を行っているだけで、ユーザーは撮影前に発光装置の能力に合わせて適切な発光量および発光タイミングを選択することはできない。
【０００６】
そこで、本発明の目的は、撮影前に、ユーザーが発光装置の能力に合わせて適切な発光量および発光タイミングを選択することができる発光装置およびその制御方法を提供することにある。
【課題を解決するための手段】
【０００７】
上記の目的を達成するため、本発明による発光装置は、被写体を撮像する撮像装置に接続され、前記被写体を撮像する際に発光部を発光させて前記被写体を照明する発光装置であって、前記発光部の温度を検出する温度検出手段と、前記温度検出手段で検出された前記発光部の温度、前記発光部における温度上昇を示す温度上昇推定値、前記発光部における温度上昇の上限値を示す発光部温度上限値、および前記撮像装置による撮像の際の設定条件に基づいて、前記発光部による連続発光可能な撮影条件を算出する制御手段と、を有することを特徴とする。
【０００８】
本発明による制御方法は、被写体を撮像する撮像装置に接続され、前記被写体を撮像する際に発光部を発光させて前記被写体を照明する発光装置の制御方法であって、温度センサによって前記発光部の温度を検出する温度検出ステップと、前記温度検出ステップで得られた前記発光部の温度、前記発光部における温度上昇を示す温度上昇推定値、前記発光部における温度上昇の上限値を示す発光部温度上限値、および前記撮像装置による撮像の際の設定条件に基づいて、前記発光部による連続発光可能な撮影条件を算出する制御ステップと、を有することを特徴とする。
【発明の効果】
【０００９】
本発明によれば、撮影前に連続発光可能な撮影条件を算出するようにしたので、ユーザーは発光装置の能力に合わせて適切な発光量および発光タイミングを選択することができる。
【図面の簡単な説明】
【００１０】
【図１】本発明の第１の実施形態による発光装置の一例を撮像装置とともに示すブロック図である。
【図２】図１に示す記憶部に記憶された連続フル発光１回における温度上昇推定値の一例を示す図である。
【図３】図１に示すストロボで行われる連続発光撮影条件算出処理を説明するためのフローチャートである。
【図４】本発明の第２の実施形態による発光装置の一例を撮像装置とともに示すブロック図である。
【図５】図４に示すストロボで行われる連続発光撮影枚数算出処理を説明するためのフローチャートである。
【図６】本発明の第３の実施形態によるストロボで行われる連続照射可能時間算出処理を説明するためのフローチャートである。
【図７】本発明の第３の実施形態によるストロボにおいて記憶部に記憶された連続照射の際の温度上昇推定値の一例を示す図である。
【図８】本発明の第４の実施形態によるストロボの一例をカメラとともに示すブロック図である。
【図９】本発明の第４の実施形態によるストロボおよびカメラで行われる連続照射可能時間算出処理を説明するためのフローチャートである。
【図１０】本発明の第５の実施形態によるストロボの一例をカメラとともに示すブロック図である。
【図１１】本発明の第６の実施形態によるストロボおよびカメラで行われる連続照射可能時間算出処理を説明するためのフローチャートである。
【図１２】本発明の第７の実施形態によるストロボの一例をカメラとともに示すブロック図である。
【図１３】図１２に示すストロボおよびカメラで行われる撮影条件設定処理を説明するためのフローチャートである。
【図１４】本発明の第８の実施形態によるカメラの一例を示すブロック図である。
【図１５】図１４に示すカメラで行われる連続照射可能時間算出処理を説明するためのフローチャートである。
【発明を実施するための形態】
【００１１】
以下に、本発明の実施の形態による発光装置および撮像装置の一例について図面を参照して説明する。
【００１２】
［第１の実施形態］
図１は、本発明の第１の実施形態による発光装置の一例を撮像装置とともに示すブロック図である。
【００１３】
発光装置（以下ストロボという）１０１は、デジタルカメラなどの撮像装置（以下単にカメラという）１１０に接続される。カメラ１１０は被写体を撮影する際、必要に応じてストロボ１０１を発光させて被写体を照明する。
【００１４】
ストロボ１０１は発光部１０２、温度検出部１０３、表示部１０４、制御部１０５、通信部１０８、および接続部１０９を有しており、接続部１０９によってカメラ１１０に接続される。なお、制御部１０５は記憶部１０６および演算部１０７を有している。カメラ１１０は、撮影レンズユニットおよび撮像素子を備える撮像部１１１、操作部１１２、スイッチ１１３、撮像制御部１１４、通信部１１５、および接続部１１６を備えており、接続部１１６によってストロボ１０１に接続される。そして、ストロボ１０１は、接続部１０９および１１６を接続することによってカメラ１１０に固定される。
【００１５】
温度検出部１０３は、発熱部である発光部１０２の温度を検出する。そして、温度検出部（温度センサ）１０３で検出された発光部１０２の温度は検出温度として制御部１０５に送られる。制御部１０５は、検出温度に基づいて、記憶部１０６に予め記憶された温度上昇推定値（発光部温度上昇推定値）および温度上限値（発光部温度上限値）を参照して、後述するようにして、連続発光可能撮影条件を求める。
【００１６】
図２は、図１に示す記憶部１０６に記憶された連続フル発光１回における温度上昇推定値の一例を示す図である。
【００１７】
図２に示す例では、秒間コマ数３回で連続フル発光を行った場合に、発光１回について発光部１０２の温度が０．５Ｋ上昇する。つまり、ここでは、秒間コマ数の設定値に対して連続フル発光１回の温度上昇推定値（発光部温度上昇推定値）が規定されている。そして、温度上昇推定値は、連続点灯時における単位時間当たりの発光部の温度上昇を示す値である。
【００１８】
図２に示す温度上昇推定値テーブルにない秒間コマ数の場合には、制御部１０５は補間計算によって連続フル発光１回当りの温度上昇改定値を求める。例えば、秒間コマ数が６枚の場合には、連続フル発光１回当りの温度上昇値は、〔｛（秒間７コマ―秒間５コマ）／２｝＋秒間５コマ〕によって求められる。なお、ストロボで用いられる発光素子の特性に応じた温度上昇推定値が記憶部１０６に予め記憶される。
【００１９】
制御部１０５は、通信部１０８および１１５を介して撮像制御部１１４と通信を行ってカメラ１１０から設定条件情報を取得する。この設定条件情報は、例えば、フル発光に対する発光割合および秒間コマ数などを示す情報である。そして、制御部１０５は設定条件情報に基づいて温度上昇推定値を補正する。例えば、設定条件情報において発光割合が８０％であると、制御部１０５は連続フル発光１回の温度上昇推定値に０．８乗じて、補正温度上昇推定値とする。設定条件情報における秒間コマ数が６コマであり、発光割合が８０％の場合には、その温度上昇推定値は、連続フル発光１回当りの温度上昇推定値×連続フル発光１回の温度上昇割合＝〔｛（０．６−０．５５）／２｝＋０．５５〕×０．８＝０．４６となる。
【００２０】
さらに、制御部１０５は、発光部１０２の検出温度および温度上限値に基づいて連続発光可能な撮影条件（つまり、撮影枚数）を求める。例えば、発光部１０２の検出温度が２５℃であって、発光部１０２の温度上限値が１００℃である場合には、連続発光可能な撮影枚数は、（温度上限値−検出温度）／補正温度上昇推定値＝（１００−２５）／０．４６＝１６３枚となる。そして、制御部１０５は表示部１０４に連続発光可能な撮影枚数を撮影条件として表示する。
【００２１】
発光部１０２における温度上昇のばらつきを補正するため、温度検出部１０３による温度測定（温度検出）は必要に応じて随時行うようにしてもよい。ストロボ１０１とカメラ１１０との通信は有線通信ばかりでなく、電波通信、赤外通信、又は磁気通信などの無線通信で行うようにしてもよい。なお、制御部１０５および撮像制御部１１４の少なくとも一部はメモリ機能を有するマイクロコンピュータによって構成するようにしてもよい。
【００２２】
図３は、図１に示すストロボで行われる連続発光撮影条件算出処理を説明するためのフローチャートである。
【００２３】
トリガスイッチの半押しなどの撮影を意図するユーザー操作があるか又はタイマー割り込みなどの予め設定された条件となると、制御部１０５は、温度検出部１０３によって発光部（発熱部）１０２の温度を検出する（ステップＳ１０２）。そして、制御部１０５は記憶部１０６に記憶された温度上限値を参照する（ステップＳ１０３）。
【００２４】
続いて、制御部１０５は記憶部１０６に記憶された温度上昇推定値（温度上昇推定データ）を参照する（ステップＳ１０４）。そして、制御部１０５は、撮像制御部１１４からフル発光に対する発光割合および秒間コマ数を示す設定条件情報を受ける（ステップＳ１０５）。
【００２５】
次に、制御部１０５は演算部１０７によって、前述したようにして連続発光可能な撮影条件を算出する（ステップＳ１０６）。そして、制御部１０５は当該連続発光可能な撮影条件を表示部１０４に表示して（ステップＳ１０７）、連続発光撮影条件算出処理を終了する。
【００２６】
このように、本発明の第１の実施形態では、設定条件情報に応じて連続発光可能な撮影条件をストロボ１０１に備えられた表示部１０４に表示する。これによって、ユーザーはストロボの能力に合わせて適切な発光量および発光タイミングを選択することができる。
【００２７】
［第２の実施形態］
次に、本発明の第２の実施形態によるストロボおよびカメラの一例について説明する。
【００２８】
図４は、本発明の第２の実施形態によるストロボの一例をカメラとともに示すブロック図である。なお、図４において、図１に示すストロボおよびカメラと同一の構成要素については同一の参照番号を付して説明を省略する。
【００２９】
ストロボ１０１は接続部１０９および１１６によってカメラ２０３に接続される。カメラ２０３は撮像制御部２０２を備えており、撮像制御部２０２には記憶部２０１が内蔵されている。記憶部２０１には、カメラ２０３で設定可能な秒間コマ数の上限値（秒間コマ数上限値）が予め記憶されており、撮像制御部２０２は通信部１１５および１０８を介して秒間コマ数上限値を制御部１０５に送る。そして、制御部１０５は、秒間コマ数上限値に応じて連続発光可能な撮影条件（例えば、連続発光可能な撮影枚数）を求める。
【００３０】
例えば、秒間コマ数上限値が５コマの場合には、図２によって連続フル発光１回当りの温度上昇推定値は０．５５Ｋである。そして、発光部１０２の温度が２３℃であって発光部１０２の温度上限値が１００℃であるとすると、秒間５コマで連続フル発光を行う場合の連続発光可能な撮影枚数は、（温度上限値―発光部の温度）／発光１回の温度上昇値＝（１００−２３）／０．５５＝１４０枚となる。
【００３１】
図５は、図４に示すストロボで行われる連続発光撮影枚数算出処理を説明するためのフローチャートである。なお、図５において、図３に示すフローチャートのステップと同一のステップについては同一の参照符号を付して説明を省略する。
【００３２】
ステップＳ１０４の処理の後、制御部１０５は撮像制御部２０２から秒間コマ数上限値を受ける（ステップＳ２０１）。そして、制御部１０５は演算部１０７によって秒間コマ数上限値を条件として連続発光可能な撮影枚数を求める（ステップＳ２０２）。その後、制御部１０５は、ステップＳ１０７において当該連続発光可能な撮影枚数を表示部１０４に表示する。
【００３３】
このように、本発明の第２の実施形態では、秒間コマ数上限値を考慮して連続発光可能な撮影枚数をストロボ１０１に備えられた表示部１０４に表示する。これによって、ユーザーはストロボの能力に合わせて適切な発光量および発光タイミングを選択することができる。
【００３４】
［第３の実施形態］
次に、本発明の第３の実施形態によるストロボおよびカメラの一例について説明する。なお、第３の実施形態によるストロボおよびカメラの構成は図４に示すストロボおよびカメラと同様である。
【００３５】
なお、第３の実施形態のストロボは、動画撮影に用いるために連続点灯（以下、連続照射という）が可能な（つまり、連続点灯可能な）ストロボを前提としている（例えば、ＬＥＤストロボ）。
【００３６】
図６は、本発明の第３の実施形態によるストロボで行われる連続照射可能時間算出処理を説明するためのフローチャートである。なお、図６において、図３および図５に示すフローチャートのステップと同一のステップについては同一の参照符号を付して説明を省略する。
【００３７】
ステップＳ２０２の処理の後、制御部１０５は、後述するようにして、発光部１０２による連続照射可能な時間（連続照射可能時間）を求める（ステップＳ３０１）。そして、制御部１０５は、ステップＳ１０７において当該連続照射可能時間を表示部１０４に表示する。
【００３８】
図７は、本発明の第３の実施形態によるストロボにおいて記憶部に記憶された連続照射の際の温度上昇推定値の一例を示す図である。
【００３９】
図７に示す例では、所定の時間連続発光した場合（例えば、１秒間連続照射した場合）の温度上昇推定値（連続発光温度上昇推定値又は連続点灯温度推定値）が示されており、ここでは、定格出力で連続照射を１秒間行うと、発光部１０２の温度が０．３Ｋ上昇する。例えば、発光部１０２の温度が２５℃であって、発光部１０２の温度上限値が１００℃であるとすると、（１００−２５）／０．３＝２５０となり、連続照射可能な時間は２５０秒となる。
【００４０】
なお、定格出力で照射を行わない場合には、照射強度に応じて温度上昇推定値を補正して連続照射可能な時間が算出される。
【００４１】
このように、本発明の第３の実施形態では、表示部１０４に連続照射可能な時間を表示するようにしたので、ユーザーはストロボの能力に合わせて適切な発光量および発光タイミングを選択することができる。
【００４２】
［第４の実施形態］
次に、本発明の第４の実施形態によるストロボおよびカメラの一例について説明する。
【００４３】
図８は、本発明の第４の実施形態によるストロボの一例をカメラとともに示すブロック図である。なお、図８において、図１および図４に示すストロボおよびカメラと同一の構成要素については同一の参照番号を付して説明を省略する。
【００４４】
ストロボ１０１は接続部１０９および１１６によってカメラ３０３に接続される。カメラ３０３は撮像制御部３０１を備えており、撮像制御部３０１には記憶部２０１が内蔵されている。また、図示のカメラ３０３には表示部３０２が備えられている。
【００４５】
ここでは、制御部１０１は、前述のようにして、連続発光可能な撮影条件（撮影枚数）および連続照射可能な時間を求める。そして、制御部１０１は通信部１０８および１１５を介して撮像制御部３０１に連続発光可能な撮影枚数および連続照射可能な時間を送る。撮像制御部３０１は、当該連続発光可能な撮影枚数および連続照射可能な時間を表示部３０２に表示する。
【００４６】
図９は、本発明の第４の実施形態によるストロボおよびカメラで行われる連続照射可能時間算出処理を説明するためのフローチャートである。なお、図９において、図６に示すフローチャートのステップと同一のステップについては同一の参照符号を付して説明を省略する。
【００４７】
前述のようにして、制御部１０１はステップＳ２０２およびＳ３０１においてそれぞれ連続発光可能撮影枚数および連続照射可能時間を求める。そして、制御部１０１は連続発光可能撮影枚数および連続照射可能時間を算出データとして撮像制御部３０１に送る（ステップＳ４０１）。撮像制御部３０１は、連続発光可能撮影枚数および連続照射可能時間を表示部３０２に表示する。その後、撮像制御部３０１は連続照射可能時間算出処理を終了する。
【００４８】
このように、本発明の第４の実施形態では、カメラ３０３に備えられた表示部３０２に連続発光可能撮影枚数および連続照射可能時間を表示するようにしたので、ユーザーはストロボの能力に合わせて適切な発光量および発光タイミングを選択することができる。
【００４９】
［第５の実施形態］
次に、本発明の第５の実施形態によるストロボおよびカメラの一例について説明する。
【００５０】
図１０は、本発明の第５の実施形態によるストロボの一例をカメラとともに示すブロック図である。なお、図１０において、図８に示すストロボおよびカメラと同一の構成要素については同一の参照番号を付して説明を省略する。
【００５１】
ストロボ４０３は接続部１０９および１１６によってカメラ３０３に接続される。ストロボ４０３は制御部４０２を備えており、制御部４０２には記憶部１０６および演算部１０７が備えられている。さらに、ストロボ４０３には専用スイッチ４０１が設けられている。
【００５２】
ユーザーが専用スイッチ４０１を押し下げると、図９で説明したようにして、制御部４０２は連続発光可能撮影枚数および連続照射可能時間を算出する。
【００５３】
このように、本発明の第５の実施形態では、ストロボ４０３に備えられた専用スイッチ４０１の操作によって連続発光可能撮影枚数および連続照射可能時間の算出が開始される。よって、ユーザーは容易にストロボの能力に合わせて適切な発光量および発光タイミングを選択することができる。
【００５４】
［第６の実施形態］
次に、本発明の第６の実施形態によるストロボおよびカメラの一例について説明する。なお、第６の実施形態によるストロボおよびカメラの構成は図１０に示すストロボおよびカメラの構成と同様である。
【００５５】
図１１は、本発明の第６の実施形態によるストロボおよびカメラで行われる連続照射可能時間算出処理を説明するためのフローチャートである。なお、図１１において、図９に示すフローチャートのステップと同一のステップについては同一の参照符号を付して説明を省略する。
【００５６】
ステップＳ４０２において連続発光可能撮影枚数および連続照射可能時間を表示部３０２に表示した後、撮像制御部３０１は連続発光可能撮影枚数および連続照射可能時間を参照して、ＩＳＯ感度、レンズの絞り値、秒間コマ数、および連続照射時間を設定する（ステップＳ５０１）。そして、撮像制御部３０１は連続照射可能時間算出処理を終了する。
【００５７】
このように、本発明の第６の実施形態では、ＩＳＯ感度、レンズの絞り値、秒間コマ数、および連続照射時間を自動的に設定するようにしたので、ユーザーは煩わしい操作をすることなく容易にストロボの能力に合わせて適切な発光量および発光タイミングを設定することができる。
【００５８】
［第７の実施形態］
次に、本発明の第７の実施形態によるストロボおよびカメラの一例について説明する。
【００５９】
図１２は、本発明の第７の実施形態によるストロボの一例をカメラとともに示すブロック図である。なお、図１２において、図１０に示すストロボおよびカメラと同一の構成要素については同一の参照番号を付して説明を省略する。
【００６０】
ストロボ４０３は接続部１０９および１１６によってカメラ５０３に接続される。カメラ５０３は撮像制御部５０２を備えており、撮像制御部５０２には記憶部２０１および比較部５０１が備えられている。
【００６１】
制御部４０２から連続発光可能撮影枚数および連続照射可能時間を受けると、撮像制御部５０２は比較部５０１によって操作部１１２によって設定された設定条件（ユーザー設定条件）がストロボ４０３の発光可能条件を満たしているか否かを判定する。そして、当該ユーザー設定条件がストロボ４０３の発光可能条件を満たさないと、後述するように、撮像制御部５０２は表示部３０２に警告表示を行うとともに、ユーザーに対してストロボ４０３で発光可能な条件を提示する。
【００６２】
図１３は、図１２に示すストロボおよびカメラで行われる撮影条件設定処理を説明するためのフローチャートである。なお、図１３において、図１１に示すフローチャートのステップと同一のステップについは同一の参照番号を付して説明を省略する。
【００６３】
ステップＳ４０２の処理を行った後、撮像制御部５０２は撮影モードが自動設定（オート）であるか否かを判定する（ステップＳ６０１）。撮影モードがオートであると（ステップＳ６０１において、ＹＥＳ）、撮像制御部５０２は、前述のステップＳ５０１の処理を行って、撮影条件設定処理を終了する。
【００６４】
一方、撮影モードが手動設定（マニュアルモード）であると（ステップＳ６０１において、ＮＯ）、撮像制御部５０２はユーザーが設定部１１２で設定したユーザー設定条件を確認する（ステップＳ６０２）。そして、撮像制御部５０２はユーザー設定条件がストロボ４０３において設定可能な条件であるか否かを判定する（ステップＳ６０３）。ユーザー設定条件が設定可能な条件であると（ステップＳ６０３において、ＹＥＳ）、撮像制御部５０２は撮影条件設定処理を終了する。
【００６５】
ユーザー設定条件が設定可能な条件でないと（ステップＳ６０３において、ＮＯ）、撮像制御部５０２は表示部３０２に警告を表示するとともに、ユーザーに対して設定可能な条件を表示（報知）する（ステップＳ６０４）。そして、ユーザーが表示部３０２に表示された設定可能な条件から撮影条件を選択すると（ステップＳ６０５）、撮像制御部５０２は当該選択された設定可能な条件に撮影条件を変更して、撮影条件設定処理を終了する。
【００６６】
このように、本発明の第７の実施形態では、ユーザー設定条件が設定可能な条件でないと、ユーザーに対して設定可能な条件を提示する。よって、ユーザーは容易にストロボの能力に合わせて適切な発光量および発光タイミングを設定することができる。
【００６７】
［第８の実施形態］
次に、本発明の第８の実施形態によるストロボおよびカメラの一例について説明する。
【００６８】
図１４は、本発明の第８の実施形態によるカメラの一例を示すブロック図である。なお、図１４において、図１２に示すストロボおよびカメラと同一の構成要素については同一の参照番号を付して説明を省略する。
【００６９】
図示のカメラ６０５には、ストロボが内蔵されている。カメラ６０５は内蔵発光部６０１、温度検出部６０２、および撮像制御部６０４を有しており、撮像制御部６０４には記憶部２０１、比較部５０１、および演算部６０３が備えられている。そして、温度検出部６０２は内蔵発光部６０１の温度を検出して検出温度して撮像制御部６０４に送る。演算部６０３は、記憶部２０１に記憶された温度上昇推定値および温度上限値を参照して、内蔵発光部６０１における連続発光可能な撮影条件（撮影枚数）および連続照射可能な時間を求める。
【００７０】
図１５は、図１４に示すカメラで行われる連続照射可能時間算出処理を説明するためのフローチャートである。なお、図１５において、図１１に示すフローチャートのステップと同一のステップについは同一の参照番号を付して説明を省略する。
【００７１】
トリガスイッチの半押しなどの撮影を意図するユーザー操作があるか又はタイマー割り込みなどの予め設定された条件となると、撮像制御部６０４は、温度検出部６０２によって内蔵発光部６０１の温度を検出する（ステップＳ７０１）。そして、撮像制御部６０４は記憶部２０１に記憶された温度上限値を参照する（ステップＳ７０２）。
【００７２】
続いて、撮像制御部６０４は記憶部２０１に記憶された温度上昇推定値（温度上昇推定データ）を参照する（ステップＳ７０３）。そして、撮像制御部６０４は、記憶部２０１に記憶された秒間コマ数上限値を参照する（ステップＳ７０４）。撮像制御部６０４は演算部６０３によって内蔵発光部６０１の温度、温度上限値、温度上昇推定値、および秒間コマ数上限値に基づいて連続発光可能な撮影枚数を求める（ステップＳ７０５）。
【００７３】
続いて、撮像制御部６０４は演算部６０３によって、図６で説明したようにして、内蔵発光部６０１による連続照射可能な時間（連続照射可能時間）を求める（ステップＳ７０６）。そして、撮像制御部６０４は、ステップＳ４０２において連続発光可能撮影枚数および連続照射可能時間を表示部３０２に表示して、連続照射可能時間算出処理を終了する。
【００７４】
なお、図１５に示すステップＳ４０２の処理の後、図１３に示すステップＳ６０１〜Ｓ６０５およびＳ５０１の処理を行うようにしてもよい。
【００７５】
このように、本発明の第８の実施形態では、カメラ６０５が内蔵ストロボを備える場合に、カメラ６０５に備えられた表示部３０２に連続発光可能撮影枚数および連続照射可能時間を表示するようにしたので、ユーザーは内蔵ストロボの能力に合わせて適切な発光量および発光タイミングを選択することができる。
【００７６】
以上、本発明について実施の形態に基づいて説明したが、本発明は、これらの実施の形態に限定されるものではなく、この発明の要旨を逸脱しない範囲の様々な形態も本発明に含まれる。
【００７７】
例えば、上記の実施の形態の機能を制御方法として、この制御方法を発光装置に実行させるようにすればよい。また、上述の実施の形態の機能を有するプログラムを制御プログラムとして、当該制御プログラムを発光装置が備えるコンピュータに実行させるようにしてもよい。なお、制御プログラムは、例えば、コンピュータに読み取り可能な記録媒体に記録される。
【００７８】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７９】
１０１  発光装置（ストロボ）
１０２  発光部
１０３  温度検出部
１０４  表示部
１０５  制御部
１１０  撮像装置（カメラ）
１１１  撮像部
１１２  操作部
１１３  スイッチ
１１４  撮像制御部
【図１】
2017134218.tif 000003
【図２】
2017134218.tif 000004
【図３】
2017134218.tif 000005
【図４】
2017134218.tif 000006
【図５】
2017134218.tif 000007
【図６】
2017134218.tif 000008
【図７】
2017134218.tif 000009
【図８】
2017134218.tif 000010
【図９】
2017134218.tif 000011
【図１０】
2017134218.tif 000012
【図１１】
2017134218.tif 000013
【図１２】
2017134218.tif 000014
【図１３】
2017134218.tif 000015
【図１４】
2017134218.tif 000016
【図１５】
2017134218.tif 000017